(57)【要約】【課題】従来、「型式指定番号」と「類別区分番号」による車種の指定だけでは、車両固有の情報である外装色などの車種細分は特定できず、ドアミラーなどの外装部品を検索するときは、外装色を予め入力する必要が生じる。また、車検証が無い場合や紛失した場合は、その入力操作自体が困難となる。車種細分をできるだけきめ細かく分類し、部品との互換性をより正確に把握することができる自動車部品検索システムを提供することを目的とする。【解決手段】車台番号や外装色などの車両固有データ１５と、汎用の車種細分を特定するための車種細分データ１６とを区別して格納し、端末から車台番号６２を入力することで、車両固有データと汎用の車種である車種細分をきめ細かく取得した上で、適合する部品番号６１を検索する。【選択図】      図１
2004192599.tif 000002
【特許請求の範囲】
【請求項１】
自動車部品データベースを備えたサーバと、利用者のために通信回線を介して接続される端末と、を備えた自動車部品検索システムであって、
前記自動車部品データベースのデータを、自動車固有に存在する車台番号と、前記車台番号に対応して存在する車両の製造年月、当該車両の内装色、及び当該車両の外装色、などの車両固有データと、汎用の車種を細かく識別するための車種特定番号と、前記車種特定番号に対応して存在する、車名、型式名、エンジン形式、グレード、ボディ形状、変速機の種別、及びドアの枚数、などの車種細分データと、に区分して蓄積し、
また、前記自動車部品データベースのデータには、前記車種特定番号と前記車台番号とを関連付けるための車台番号テーブルと、を有し、
前記利用者により前記端末から前記車台番号を入力することで、前記サーバは前記車台番号を取得し、取得した当該車台番号を検索キーにして前記車両固有データを取得する、
また当該車台番号から前記車台番号テーブルを検索して前記車種特定番号を取得する、さらに取得した当該車種特定番号を検索キーにして前記車種細分データを取得し、
前記サーバは取得した前記車両固有データと前記車種細分データとを組み合わせ、組み合わせたデータを車台情報として、前記端末に出力する、
ことを特徴とする自動車部品検索システム。
【請求項２】
さらに前記自動車部品データベースのデータを、部品固有に存在する部品番号と、当該部品番号に対応して存在する当該部品の製造開始年月、製造終了年月、及び価格、などの部品固有データと、に区分して蓄積し、
また、前記自動車部品データベースには、前記部品番号と前記車種特定番号とを関連付けるための部品番号テーブルを有し、
前記利用者により前記端末から前記車台番号を入力することで、
前記サーバは前記車台番号を取得し、取得した前記車台番号から前記車台番号テーブルを検索して前記車種特定番号を取得する、さらに取得した当該車種特定番号から前記部品番号テーブルを検索して前記部品番号を取得する、また取得した当該部品番号を検索キーとして前記部品固有データを取得し、
前記サーバは取得した当該部品番号と共に前記部品固有データを部品情報として前記端末に出力する、
ことを特徴とする請求項１に記載の自動車部品検索システム。
【請求項３】
さらに、前記利用者により前記端末に前記部品情報として表示した部品番号を指定する、又は前記利用者により前記端末から部品番号を入力する、
ことで前記サーバは当該部品番号を取得し、取得した当該部品番号から前記部品番号テーブルを検索して車種特定番号を取得する、さらに取得した当該車種特定番号を検索キーとして前記車種細分データを取得し、取得した当該車種細分データを当該部品番号と共に前記端末に出力する、
ことを特徴とする請求項１及び請求項２記載の自動車部品検索システム。
【請求項４】
自動車部品データベースを備えたサーバと、利用者のために通信回線を介して接続される端末であって、
前記自動車部品データベースのデータを、自動車固有に存在する車台番号と、前記車台番号に対応して存在する車両の製造年月、当該車両の内装色、及び当該車両の外装色、などの車両固有データと、汎用の車種を細かく識別するための車種特定番号と、前記車種特定番号に対応して存在する、車名、型式名、エンジン形式、グレード、ボディ形状、変速機の種別、及びドアの枚数、などの車種細分データと、に区分して蓄積し、
また、前記自動車部品データベースのデータには、前記車種特定番号と前記車台番号とを関連付けるための車台番号テーブルと、を有し、
前記利用者により前記端末から前記車台番号を入力することで、前記サーバは前記車台番号を取得し、取得した当該車台番号を検索キーにして前記車両固有データを取得する、
また当該車台番号から前記車台番号テーブルを検索して前記車種特定番号を取得する、さらに取得した当該車種特定番号を検索キーにして前記車種細分データを取得し、
前記サーバは取得した前記車両固有データと前記車種細分データとを組み合わせ、組み合わせたデータを車台情報として、前記端末に出力する、
ことを特徴とする端末。
【請求項５】
さらに前記自動車部品データベースのデータを、部品固有に存在する部品番号と、当該部品番号に対応して存在する当該部品の製造開始年月、製造終了年月、及び価格、などの部品固有データと、に区分して蓄積し、
また、前記自動車部品データベースには、前記部品番号と前記車種特定番号とを関連付けるための部品番号テーブルを有し、
前記利用者により前記端末から前記車台番号を入力することで、
前記サーバは前記車台番号を取得し、取得した当該車台番号から前記車台番号テーブルを検索して前記車種特定番号を取得する、さらに取得した当該車種特定番号から前記部品番号テーブルを検索して前記部品番号を取得する、また取得した当該部品番号を検索キーとして前記部品固有データを取得し、
前記サーバは取得した当該部品番号と共に前記部品固有データを部品情報として前記端末に出力する、
ことを特徴とする請求項４に記載の端末。
【請求項６】
さらに、前記利用者により前記端末に前記部品情報として表示した部品番号を指定する、又は前記利用者により前記端末から部品番号を入力する、
ことで前記サーバは当該部品番号を取得し、取得した当該部品番号から前記部品番号テーブルを検索して車種特定番号を取得する、さらに取得した当該車種特定番号を検索キーとして前記車種細分データを取得し、取得した当該車種細分データを当該部品番号と共に前記端末に出力する、
ことを特徴とする請求項４及び請求項５記載の端末。
【発明の詳細な説明】
【０００１】
【発明の属する技術分野】
本発明は、自動車部品データベースを利用して自動車部品の検索を支援する、自動車部品検索システム及び端末に関する。
【０００２】
【従来の技術】
従来、利用者の自動車部品データベースの利用に際しては、その自動車の車種を指定し、その車種に適合する部品の部品番号を検索する場合と、指定された部品番号からその部品が適合する車種を検索する場合とがある。また部品番号を特定するために、部品を大分類と小分類とに分けることに、車体の部位と、部品の品名を利用していた。また、車種の指定は、その車両の車検証に記載された「型式指定番号」、「類別区分番号」或いは「年式」に基づいて、その数値を利用者端末に入力することで、車種を特定していた。また、車種の特定は、大まかで、車名及び世代（モデルチェンジ）の組み合わせで示される程度であった。
【０００３】
【特許文献１】特開２００１−１４４１３号公報。
【特許文献２】特開２００２−２４５０５７号公報。
【０００４】
【発明が解決しようとする課題】
しかしながら、「型式指定番号」と「類別区分番号」による車種の指定だけでは、車両固有の情報である外装色・内装色などの車種細分は特定できず、ドアミラーなどの外装部品を検索するときは、外装色を予め入力する必要が生じた。また、廃車などで車検証が破棄された場合や紛失した場合は、勿論、その入力操作自体が困難となる。
【０００５】ところで、車種の意味は、用途・型・年式などによって分けた自動車の種類のことであるが、部品との互換性を問題にする場合、車種を、車名・製造年月・外装色・内装色・型式名・エンジン形式・グレード・ボディ形状・変速機の種別或いはドアの枚数等に至るまで、きめ細かく細分する必要がある。
【０００６】したがって、本来、車種と部品の適合／不適合の判定は、この細分化された車種細分によって決められるべきものである。本発明は、上記問題点に鑑みてなされたもので、車種細分をできるだけきめ細かく分類し、部品との互換性をより正確に把握することができる自動車部品検索システムを提供することを目的とする。
【０００７】
【課題を解決するための手段】
上記従来技術の課題を解決するために本発明は以下のように構成される。
【０００８】第１の発明は、自動車部品データベースを備えたサーバと、利用者のために通信回線を介して接続される端末と、を備えた自動車部品検索システムであって、
前記自動車部品データベースのデータを、自動車固有に存在する車台番号と、前記車台番号に対応して存在する車両の製造年月、当該車両の内装色、及び当該車両の外装色、などの車両固有データと、汎用の車種を細かく識別するための車種特定番号と、前記車種特定番号に対応して存在する、車名、型式名、エンジン形式、グレード、ボディ形状、変速機の種別、及びドアの枚数、などの車種細分データと、に区分して蓄積し、
また、前記自動車部品データベースのデータには、前記車種特定番号と前記車台番号とを関連付けるための車台番号テーブルと、を有し、
前記利用者により前記端末から前記車台番号を入力することで、前記サーバは車台番号を取得し、取得した当該車台番号を検索キーにして車両固有データを取得する、
また当該車台番号から前記車台番号テーブルを検索して前記車種特定番号を取得する、さらに取得された当該車種特定番号を検索キーにして前記車種細分データを取得し、
前記サーバは取得した前記車両固有データと前記車種細分データとを組み合わせ、組み合わせたデータを車台情報として、前記端末に出力する、ことを特徴とする。
【０００９】第２の発明は、第１の発明において、さらに前記自動車部品データベースのデータを、部品固有に存在する部品番号と、当該部品番号に対応して存在する当該部品の製造開始年月、製造終了年月、及び価格、などの部品固有データと、に区分して蓄積し、
また、前記自動車部品データベースには、前記部品番号と前記車種特定番号とを関連付けるための部品番号テーブルを有し、
前記利用者により前記端末から前記車台番号を入力することで、
前記サーバは前記車台番号を取得し、取得した当該車台番号から前記車台番号テーブルを検索して前記車種特定番号を取得する、さらに取得した当該車種特定番号から前記部品番号テーブルを検索して部品番号を取得する、また取得した当該部品番号を検索キーとして前記部品固有データを取得し、
前記サーバは取得した当該部品番号と共に前記部品固有データを部品情報として前記端末に出力する、ことを特徴とする。
【００１０】第３の発明は、第１及び第２の発明において、さらに前記利用者により前記端末に前記部品情報として出力された部品番号を指定する、又は前記利用者により前記端末から部品番号を入力する、
ことで前記サーバは当該部品番号を取得し、取得した当該部品番号から前記部品番号テーブルを検索して車種特定番号を取得する、さらに取得した当該車種特定番号を検索キーとして前記車種細分データを取得し、取得した当該車種細分データを当該部品番号と共に前記端末に出力する、ことを特徴とする。
【００１１】第４の発明は、自動車部品データベースを備えたサーバと、利用者のために通信回線を介して接続される端末であって、
前記自動車部品データベースのデータを、自動車固有に存在する車台番号と、前記車台番号に対応して存在する車両の製造年月、当該車両の内装色、及び当該車両の外装色、などの車両固有データと、汎用の車種を細かく識別するための車種特定番号と、前記車種特定番号に対応して存在する、車名、型式名、エンジン形式、グレード、ボディ形状、変速機の種別、及びドアの枚数、などの車種細分データと、に区分して蓄積し、
また、前記自動車部品データベースのデータには、前記車種特定番号と前記車台番号とを関連付けるための車台番号テーブルと、を有し、
前記利用者により前記端末から前記車台番号を入力することで、前記サーバは車台番号を取得し、取得した当該車台番号を検索キーにして車両固有データを取得する、
また当該車台番号から前記車台番号テーブルを検索して前記車種特定番号を取得する、さらに取得された当該車種特定番号を検索キーにして前記車種細分データを取得し、
前記サーバは取得した前記車両固有データと前記車種細分データとを組み合わせ、組み合わせたデータを車台情報として、前記端末に出力する、ことを特徴とする。
【００１２】第５の発明は、第４の発明において、さらに前記自動車部品データベースのデータを、部品固有に存在する部品番号と、当該部品番号に対応して存在する当該部品の製造開始年月、製造終了年月、及び価格、などの部品固有データと、に区分して蓄積し、
また、前記自動車部品データベースには、前記部品番号と前記車種特定番号とを関連付けるための部品番号テーブルを有し、
前記利用者により前記端末から前記車台番号を入力することで、
前記サーバは前記車台番号を取得し、取得した当該車台番号から前記車台番号テーブルを検索して車種特定番号を取得する、さらに取得した当該車種特定番号から前記部品番号テーブルを検索して部品番号を取得する、また取得した当該部品番号を検索キーとして前記部品固有データを取得し、
前記サーバは取得した当該部品番号と共に前記部品固有データを部品情報として前記端末に出力する、ことを特徴とする。
【００１３】第６の発明は、第４及び第５の発明において、さらに前記利用者により前記端末に前記部品情報として出力された部品番号を指定する、又は前記利用者により前記端末から部品番号を入力する、
ことで前記サーバは当該部品番号を取得し、取得した当該部品番号から前記部品番号テーブルを検索して車種特定番号を取得する、さらに取得した当該車種特定番号を検索キーとして前記車種細分データを取得し、取得した当該車種細分データを当該部品番号と共に前記端末に出力する、ことを特徴とする。
【００１４】本発明は以上の構成とすることで、車種をできるだけきめ細かく細分し、部品との互換性をより正確に把握することが可能となる。
【００１５】尚、車台番号は管轄官庁に登録された自動車を一意に識別する番号であり、車検証、および、自動車本体に刻印されている。また、部品番号は製造業者が部品を管理するために部品毎に割り振った番号である。したがって、部品が異なれば部品番号も異なる。また逆に、同じ部品を装着していれば異なる車種でも、該当する部品に同一の部品番号が割り振られる。
【００１６】また、車種特定番号は、車種を特定するための番号であり、一つの車台番号には一つの車種特定番号を割り振るが、一つの部品番号に対して複数の車種特定番号が割り振られる場合もある。
【００１７】
【発明の実施の形態】
発明の実施の形態を実施例にもとづき図面を参照して説明する。
図１は本発明による自動車部品検索システムの機能ブロック図である。また、図２は本発明のハードウエア構成図であり、本発明のハードウエア構成を先に説明する。図２において、データ処理サイトに在り、自動車部品データベース１を管理するサーバ２と、通信ネットワーク３を介して、複数の利用者のための端末４を接続さする。
【００１８】サーバ２は、中央処理装置５０、主記憶装置５１、固定磁気記憶装置５２、表示装置５３、入力装置５４及び通信制御装置５５などを備えたコンピュータシステムであり、この固定磁気記憶装置５２には、オペレーティングシステム（ＯＳ）やアプリケーションソフト、それに本発明の自動車部品データベース１が収納される。
【００１９】またインターネット等の通信ネットワーク３に接続される端末４は、中央処理装置４０、主記憶装置４１、表示装置４２、キーボードやマウスなどの入力装置４３及び通信制御装置４４などを備えた、いわゆるパソコンである。
【００２０】またサーバ２はＯＳとアプリケーションプログラムによって、データベース１と端末４を管理する。また各端末４はサーバ２からマルチユーザー端末として制御される。
【００２１】また、端末装置の別なる形態としては、ノートパソコンや、無線通信を利用した携帯電話等の携帯端末も考えられる。いずれにしても端末は、利用者が表示画面を見ながら、キーボードやマウスを操作することで、車台番号や部品番号を入力することができる。また、端末は、端末画面に表示された車両メーカ名、部位カテゴリ、部品名或いは部品番号などを、マウス等を使って選択或いは指定する機能を有することは言うまでも無い。
【００２２】本発明による自動車部品データベース１の構造を、格納されるデータとテーブルに基づいて説明する。図１において、自動車部品データベース１は、予め蓄積した、自動車及びその部品に関連したデータを収納する。またそのデータは自動車固有に存在する車台番号６２と、その車台番号に対応して存在する車両の製造年月６３、当該車両の内装色６５、及び当該車両の外装色６４、などの車両固有データ１５と、また前記自動車部品データベースには汎用の車種を細かく識別するための車種特定番号６０と、その車種特定番号に対応して存在する、車名７０、型式名７３、エンジン形式７４、グレード７５、ボディ形状７６、変速機の種別７７、及びドアの枚数、などの車種細分データ１６と、また部品固有に存在する部品番号６１と、当該部品番号に対応して存在する部品の製造開始年月７８、製造終了年月７９、及び参考価格３９、などの部品固有データ１７と、に区分して蓄積する。
【００２３】また、部品番号テーブル１０には、図４に示すように、部品番号６１と車種特定番号６０が関連付けられて格納される。即ち同テーブルを見れば、適合する部品と車種との関係が分かる。尚、部品番号は複数の車種に適合する場合がある。
【００２４】また車台番号テーブル１１には、図５に示すように、車台番号６２が車種特定番号６０と関連付けられて格納される。即ち同テーブルを見れば、その車台番号に適合する車種との関係が分かる。また車台番号テーブル１１には、車台番号６２の他に製造年月６３・外装色６４・内装色６５などの、図１に示す車両固有データ１５も格納される。
【００２５】また、車種特徴テーブル１２には、図６に示すように、車種特定番号６０と、車名７０、製造開始年月７１、製造終了年月７２、型式名７３、エンジン形式７４、グレード７５、ボディ形状７６、変速機の種別７７、及びドアの枚数、などの図１に示す車種細分データ１６が格納される。
【００２６】また、図１に示すように、部品固有データ１７は、部品価格テーブル１３や部品マスターテーブル１４に格納される。
【００２７】本発明による検索手段の概要を、図を参照して説明する。
第１及び第４の発明は、図１に示すように、車台番号入力手段２２と、入力された車台番号から車両固有データ１５と車種細分データ１６とを取得して、取得したデータを車台情報３５として端末に出力するための、車台情報の検索手段２３と車台情報の出力手段２４を有する。
【００２８】またその構成を詳細に説明する。図１０は検索の際のポインターの移動を示す説明図であり、検索経路を図中のアルファベット記号で示す。利用者により端末から車台番号が入力されると、サーバは端末から車台番号６２を取得する。図１０において、サーバは取得した車台番号を検索キーにして、車台番号テーブル１１に存在する車両固有データ１５を取得する（Ａ）。また取得した車台番号６２から車台番号テーブル１１を検索して車種特定番号６０を取得する（Ｂ）、さらに取得された当該車種特定番号（Ｃ）を検索キー（Ｄ）にして車種特徴テーブル１２から車種細分データ１６を取得する。また、図１において、サーバは取得した車両固有データ１５と車種細分データ１６とを組み合わせ、組み合わせたデータを、図１に示した車台情報３５として端末に出力する。
【００２９】図７は端末に表示された出力画面の例８０を示すものであり、図７の８１で示される車台番号の車両固有データ（６３、６４、６５）と車種細分データ（７０、７３、７４、７５、７６、７７）が組み合わされ、その組み合わせたデータの出力結果を一覧２０として端末に表示する。ただし、その組み合わせは表示例に限らない。
【００３０】また、第２及び第５の発明は、図１において、入力された車台番号に適合する部品の部品情報３３を出力する手段２８とその部品情報の検索手段２７を有する。また、その構成を詳細に説明する。図１０において、利用者により端末から車台番号が入力され、サーバが車台番号６２を取得すると、その車台番号から車台番号テーブル１１を検索（Ｂ）して車種特定番号６０を取得する。さらに取得した車種特定番号（Ｅ）から部品番号テーブル１０を検索（Ｆ）して部品番号６１を取得する、また取得した部品番号を検索キー（Ｇ）として部品価格テーブル１３と部品マスターテーブル１４から部品固有データ１７を取得する。サーバは取得した当該部品番号と共に前記部品固有データ１７を、図８に示す部品情報の一覧１８として端末に出力する。
【００３１】図８は端末に表示された出力画面の例８２を示すものである。尚、図８において、部位カテゴリの表示８３と部品名の表示８４は、検索された部品番号が、車体の部位と部品名を使ってさらに絞り込まれていることを示すものである（後述）。
【００３２】また、第３及び第６の発明は、図１において、部品番号の指定手段２９或いは部品番号入力手段３４を有し、端末利用者が指定した部品番号から適合する車種の車種細分データ１６を適合車種情報３２として端末に出力するための、適合車種情報の検索手段３０と適合車種情報出力手段３１を有する。また、その構成を詳細に説明する。図８において、利用者により、端末の部品情報の一覧１８に表示された部品番号に対応する表示（８５又は８８）を選択すると部品番号が指定される。又は利用者により端末から部品番号を直接入力することで、サーバは部品番号を取得する。図１０において、サーバは取得した部品番号から部品番号テーブル１０を検索（Ｊ）して車種特定番号６０を取得する、さらに取得した車種特定番号（Ｋ）を検索キー（Ｄ）として車種細分データ１６を取得する。またサーバは取得した車種細分データ１６を部品番号と共に、図１に示す適合車種情報３２として端末に出力する。
【００３３】図９は出力された適合車種情報を示す端末の出力画面の例８６を示すものである。図９において、８７で示す部品番号が指定され、その部品に適合する車種細分データが一覧１９として表示されることを示す。
【００３４】また、本発明の自動車部品検索システムの端末での操作手順を、図３に示すフローチャート図によって説明する。利用者は車台番号又は部品番号を基にしてデータベースの情報を検索する。図３のＳ１において、利用者は端末４の操作画面に表示されたメーカ名の中から、該当する車両メーカ名をポインティングデバイス（マウス）等を使って選択する。選択が確定すると端末はメーカ名をサーバ２に送信する。
【００３５】図３のＳ２において、その後端末は、車台番号の入力と部品番号の入力の受付けの準備（表示）をし、端末利用者がそのどちらかを選択する。
【００３６】図３のＳ３において、利用者が車台番号入力を選ぶと、利用者は車検証あるいは自動車本体に刻印されている番号を参照して、端末画面の予め指示された箇所に（図示せず）、キーボード操作により該当車両の車台番号を入力する。入力操作が確定すると端末は当該車台番号をサーバに送信する。
【００３７】図３のＳ４において、利用者の端末から車台番号を受信したサーバは、車台番号テーブルより、車台番号を検索キーとして車種特定番号を取得する。また車台番号テーブルから車両に固有な情報である、図１に示す外装色６４、内装色６５及び製造年月６３を取得する。
【００３８】図３のＳ５において、さらにサーバ２は、取得された車種特定番号を引数として、図１に示す車種特徴テーブル１２から車種毎の特徴である車名７０、型式名７３、エンジン形式７４、ボディ形状７６、グレード７５、変速機の種別７７及びその他の特徴（ドア数など）を取得する。さらに、図３のＳ６において、サーバ２は取得した検索結果を利用者の端末４に送信し、図１に示す車台情報３５を端末に表示する。前述したように、表示された出力例を図７の８０に示す。
【００３９】また、図３のＳ７において、端末は図７に示した表示出力８０と共に、利用者が部品の検索がし易くなるように、車体の「部位カテゴリ」の選択肢を表示させる（図示せず）。例えば部位選択肢にはフロント外装品・右側面外装品・左側面外装品・バック外装品・ルーフ・インテリア・エンジンルーム・フロントサスペンション・リアサスペンション・排気系などがあり、端末利用者はこの中から検索対象部品の装着している部位カテゴリを選択する。
【００４０】さらに、図３のＳ８において、端末は、利用者が部品の検索がし易くなるように、選択された部位カテゴリの中の「部品名」の選択肢を表示させる（図示せず）。例えば部位カテゴリとして既にエンジンルームを選択していれば、「部品名」としてエンジン・シリンダーヘッド・ディストリビュータ・ラジエータなどを選択肢として表示する（図示せず）。利用者がこの中から検索対象の部品名を選択し終えると、端末４は選択された部品名をサーバ２に送信する。
【００４１】図３のＳ９において、サーバ２は，受信した部品名に該当する部品を図１に示す部品番号テーブル１０から検索し、該当する部品番号の部品情報３３を部品マスターテーブル１４及び部品価格テーブル１３から取得する。サーバ２は取得したデータを端末４に送信し、端末４は受信したデータを部品情報３３として端末の画面に表示する。前述したように、表示された出力例を図８の８２に示す。
【００４２】また、図３のＳ１０においては、利用者が図８に示す端末画面に表示された部品番号一覧１８の中の左端に示された部品番号に対応して表示された「互換車種」の表示８５又は８８をクリックすることで部品番号が指定され、端末は指定された部品番号をサーバ２に送信する。例えば図８において８５がクリックされると部品番号０００１１１２２２が指定される。また、８８がクリックされると部品番号１２３１２３１２３が指定され、その部品番号をサーバに送信する。
【００４３】また、図３のＳ１１において、端末から部品番号を受信したサーバ２は、図１に示す部品番号テーブル１０を検索することで、部品番号から車種特定番号を取得する。
【００４４】さらに、図３のＳ１２において、サーバ２は、取得した車種特定番号を引数として、該当部品が装着可能な車種細分を、図１に示す車種特徴テーブル１２から検索し、車種細分毎の特徴である車名、型式名，製造開始年月，製造終了年月，エンジン形式，ボディ形状，グレード，変速機の種別，その他の特徴を取得する。また、図３のＳ１３において、サーバ２は、取得した検索結果を利用者の端末４に送信し、端末は図１に示す適合車種情報３２を端末画面に表示する。前述した図９の８６は端末の画面に表示された適合車種情報の出力例を示すものである。
【００４５】また、図３のＳ１４において、利用者が端末から直接部品番号を入力することを選択したときは、車台番号入力処理と同様に、端末画面の予め指示された箇所に（図示せず）、キーボード入力操作で指定する部品の部品番号を入力する。入力操作が確定すると端末は当該部品番号をサーバ２に送信する。また、その後の処理は図３のＳ１１に続く。
【００４６】また、図３において、利用者の操作手順で、適合車種出力処理（Ｓ１３）後の次の処理としては、メーカ名入力処理（Ｓ１）、車台入力処理（Ｓ３）又は部品番号入力処理（Ｓ１３）にそれぞれ戻ることができる。
【００４６】
【発明の効果】本願発明は、上述したように、車台番号や外装色などの車両固有データと、汎用の車種細分を特定するためのデータとを区別してデータベースに格納し、端末から車台番号を入力することで、車両固有データと汎用の車種である車種細分をきめ細かく取得できるため、車両に適合する部品番号を検索するに際して、部品との互換性をより正確に把握することができる。
【００４７】したがって、従来の「色指定」の操作が不用となる。また車種細分を一時に特定することができるため、部品の手配ミスや登録ミスが減少する。
【００４８】また、解体業者、修理業者、それに保険業者が、車両を特定するに当たって、車検証の記載番号と、現物の車体に直接刻印された刻印番号の両方の番号を利用できることは、利用者にとって便利なことである。
【図面の簡単な説明】
【図１】本願発明の構成を示す機能ブロック図である。
【図２】本願発明のハードウエア構成を示すハードウエア構成図である。
【図３】本願発明によるプログラムのフローチャート図である。
【図４】部品番号テーブルの説明図。
【図５】車台番号テーブルの説明図。
【図６】車種特徴テーブルの説明図。
【図７】車台情報出力の表示例を示す説明図。
【図８】部品情報出力の表示例を示す説明図。
【図９】適合車種情報出力の表示例を示す説明図である。
【図１０】検索におけるポインターの移動経路を説明する図である。
【符号の説明】
１    自動車部品データベース
２    サーバ
３    通信ネットワーク
４    端末
１０  部品番号テーブル
１１  車台番号テーブル
１２  車種特徴テーブル
１４  部品マスターテーブル
１５  車両固有データ
１６  車種細分データ
６０  車種特定番号
６１  部品番号
６２  車台番号
【図１】
2004192599.tif 000003
【図２】
2004192599.tif 000004
【図３】
2004192599.tif 000005
【図４】
2004192599.tif 000006
【図５】
2004192599.tif 000007
【図６】
2004192599.tif 000008
【図７】
2004192599.tif 000009
【図８】
2004192599.tif 000010
【図９】
2004192599.tif 000011
【図１０】
2004192599.tif 000012